(57)【特許請求の範囲】
【請求項１】
重量物に接触し持ち上げる作用部と、力を加えるレバーと、支点としての回動軸と、移動用の車輪とを備え、てこの原理で重量物を持ち上げる重量物持ち上げ装置の、設置高さを調整する調整具であって、所定の高さを有し、上面に形成された、前記車輪を固定する車輪留め部と、上面の縁部に形成された、前記作用部の前記支点を中心とした揺動の範囲を広げるための傾斜面とを有し、前記重量物持ち上げ装置を上面に載置し設置高さを調整することを特徴とする高さ調整具。
【請求項２】
重量物の側面及び底面にそれぞれ接触する第１面及び第２面を有する位置決め部が、前記傾斜面の両側に設けられ、重量物に対する位置決めを行うことを特徴とする請求項１に記載の高さ調整具。
【請求項３】
高さの表示がなされていることを特徴とする請求項１又は２に記載の高さ調整具。
【請求項４】
所定の高さを有し、請求項１から３のいずれかに記載の高さ調整具の底面と係合し、前記重量物持ち上げ装置の高さ調整を補助することを特徴とする高さ調整補助具。
【請求項５】
前記高さ調整具の底面に形成された開口部又は凹部に係合可能な凸部が上面に形成されたことを特徴とする請求項４に記載の高さ調整補助具。
【請求項６】
前記凸部と係合可能な開口部又は凹部が底面に形成され、複数段に積み上げ可能なことを特徴とする請求項５に記載の高さ調整補助具。
【請求項７】
高さの表示がなされていることを特徴とする請求項４から６のいずれかに記載の高さ調整補助具。
【請求項８】
請求項１から３のいずれかに記載の高さ調整具と、請求項４から７のいずれかに記載の高さ調整補助具とを備えたことを特徴とする高さ調節キット。
【発明の詳細な説明】
【技術分野】
【０００１】本発明は、一般家庭等で使用する脚付き家具や固定脚介護ベッド等の重量物を安全に持ち上げ移動させるために使用する重量物持ち上げ装置の高さ調整具に関するものである。
【背景技術】
【０００２】図１３は従来の重量物持ち上げ装置９０と移動用台車９６を示す斜視図である。この従来例は、例えば、登録実用新案第３１０９８５１号公報と登録実用新案第３０５１８３５号公報に記載されているものと同種のものである。回動軸９５に軸支された車輪９２と前方に設けられる作用部９３と後方に延出するレバー９４を設けたフレーム９１からなる重量物持ち上げ装置９０で、家具等の重量物Ｗを車輪９２が支点になり、てこの原理で持ち上げ、そのすき間に、下部にローラ９７を備えた移動用台車９６を重量物Ｗの底面Ｗｂの４隅に挿入し、家具等の重量物Ｗを支持しながらローラ９７で移動できるものであった。
【先行技術文献】
【特許文献】
【０００３】
【特許文献１】登録実用新案第３１０９８５１号公報
【特許文献２】登録実用新案第３０５１８３５号公報
【発明の概要】
【発明が解決しようとする課題】
【０００４】上記の重量物持ち上げ装置９０は、家具等の重量物Ｗの底面Ｗｂに挿入して使用するものであるため、図１４に示すように脚付き家具や固定脚介護ベッド等の重量物Ｗの底面Ｗｂと床Ｆの間に空間ある場合は、レバー９４を矢印Ａ方向へ押し下げても作用部９３が重量物Ｗの底面Ｗｂに届かないため、重量物Ｗを持ち上げることができなかった。【０００５】また、脚付き家具や固定脚介護ベッド等の重量物Ｗの脚Ｗａを直接、重量物持ち上げ装置９０で持ち上げてしまうと、台車９６は家具等重量物Ｗを支持する場所がないので移動することができなかった。【０００６】そこで、本発明は安定よくかつ安全に脚付き家具や固定脚介護ベッド等の重量物の持ち上げを提供することを目的とするものである。
【課題を解決するための手段】
【０００７】上記の課題を解決するためになされた本発明の重量物持ち上げ装置の高さ調整具は、重量物に接触し持ち上げる作用部と、力を加えるレバーと、支点としての回動軸と、移動用の車輪とを備え、てこの原理で重量物を持ち上げる重量物持ち上げ装置の、設置高さを調整する調整具であって、所定の高さを有し、上面に形成された、前記車輪を固定する車輪留め部と、上面の縁部に形成された、前記作用部の前記支点を中心とした揺動の範囲を広げるための傾斜面とを有し、前記重量物持ち上げ装置を上面に載置し設置高さを調整することを特徴とする高さ調整具からなる。【０００８】第２に、前記高さ調整具は重量物の側面及び底面にそれぞれ接触する第１面及び第２面を有する位置決め部が、前記傾斜面の両側に設けられ、重量物に対する位置決めを行うことを特徴としている。【０００９】第３に、前記高さ調整具は高さの表示がなされていることを特徴としている。【００１０】また、高さ調整補助具は所定の高さを有し、前記高さ調整具の底面と係合し、前記重量物持ち上げ装置の高さ調整を補助する高さ調整補助具からなり。【００１１】さらに、前記高さ調整具の底面に形成された開口部又は凹部に係合可能な凸部が上面に形成されたことを特徴としている。【００１２】そして、前記高さ調整補助具は前記凸部と係合可能な開口部又は凹部が底面に形成され、複数段に積み上げ可能なことを特徴としている【００１３】また、前記高さ調整補助具は高さの表示がなされていることを特徴としている。【００１４】これら、高さ調整具と、高さ調整補助具とを備えたことを特徴とする高さ調節キット。
【発明の効果】
【００１５】上記手段では、重量物の底面と床までの高さと同じ高さの高さ調整具を使用することで、重量物持ち上げ装置の作用部が底面に接触し、重量物を移動台車が挿入できる高さまで持ち上げることができ、さらに、車輪留め部が重量物持ち上げ装置の車輪の進路上に位置しているので、前進と後進の過剰移動を制限し本体上面からの落下が防止でき安全であり、上面の縁部の傾斜面により高さ調整具を設置した後からでも、作用部は重量物の底面に挿入することができるので、簡単に使用できる。【００１６】上記第２の手段では、持ち上げたい重量物の側面と車輪を固定する車輪留め部まで距離そして、重量物の底面と高さ調整具の上面の高さが常に一定に保たれるので作用部の挿入不足による重量物の落下や持ち上げ高さの不足を防止でき安全である。【００１７】上記第３の手段では、持ち上げたい重量物の底面までの高さを測れば、同じ高さ表示の高さ調整具を選択すればよいので、簡単で容易に見つけることができ、作業時間も短くなる。【００１８】高さ調整具と高さ調整補助具が係合して一体化すると２種類の脚の高さの重量物に対応できる。【００１９】さらに、底面と床の距離が異なる複数の重量物に対応して複数の高さ調整補助具を積み上げることで容易に高さの変化に対応できる。【００２０】高さ調整補助具にも高さ表示があるので、持ち上げたい重量物の底面の高さに応じて、高さ調整具と高さ調整補助具の表示高さの和を求めることで、容易に必要な組み合わせを選択できる。【００２１】これら、高さ調整具と、高さ調整補助具を組み合わせた高さ調節キットは、例えば、高さ１０ｍｍの高さ調整具を１個と高さ１０ｍｍの高さ調整補助具を４個と高さ５０ｍｍの高さ調整補助具を１個の計６個の高さ調整キットで、重量物の底面と床の距離が１０ｍｍから１００ｍｍまで１０ｍｍ間隔の１０種類に対応でき、掛かる費用に対して作用効果が大きいので経済的である。
【図面の簡単な説明】
【００２２】
【図１】本発明の実施形態を示す高さ調整具斜視図
【図２】本発明の実施形態を示す高さ調整具底面の斜視図
【図３】本発明の実施形態を示す高さ調整補助具の斜視図
【図４】本発明の実施形態を示す高さ調整キットの斜視図
【図５】本発明の実施形態を示す高さ調整補助具底面の斜視図
【図６】高さ調整具の使用例説明の中央部断面図
【図７】高さ調整具と高さ調整補助具の使用例説明の中央部断面図
【図８】高さ調整具と複数の高さ調整補助具の使用例説明の中央部断面図
【図９】本発明の実施形態の作用開始使用例説明用一部断面の側面図
【図１０】本発明の実施形態の作用終了使用例説明用一部断面の側面図
【図１１】本発明の第２実施形態を示す高さ調整具底面の斜視図
【図１２】本発明の第２実施形態を示す高さ調整補助具底面の斜視図
【図１３】従来の重量物持ち上げ装置と移動用台車の斜視図
【図１４】従来の重量物持ち上げ装置の使用例説明用側面図
【発明を実施するための形態】
【００２３】以下、本発明の実施例を図面によって説明する。
【実施例】
【００２４】図１は本発明の第１形態実施例による重量物持ち上げ装置の高さ調整具の斜視図である。【００２５】高さ調整具２の上部に重量物持ち上げ装置９０の車輪９２を載せることができる面積を持つ上面３を所定の高さＨａに設け、前記平面３の左右側壁４に重量物持ち上げ装置９０が前進と後進で平面３から落下しないための車輪留め部５を設け、前記車輪留め部５の背面側に突出部６を設け、重量物Ｗの側面Ｗｅ及び底面Ｗｂにそれぞれ接触する第一面５ａ及び第２面６ａを有する位置決め部が、傾斜面７の両側に設けられ、重量物Ｗに対する位置決めを行う。【００２６】高さ調整具２の底面は図２に示すように、正面１０、右側面８、左側面９、そして背面１１の内側に上面３に掛かる荷重を支持する壁１２、壁１３、壁１４、壁１５を設けている。【００２７】高さ調整具２は、材質を合成樹脂のＡＢＳで成型加工しているので、強度を有しつつ軽いので取扱いが容易で、上面３までの高さＨａを上面３と左側面８と右側面９に容易に消えない方法のシールや印刷、あるいは成型金型での刻印により表示している。このことは、表示高さＨａの高さ調整具２を使用すると床Ｆから底面Ｗｂの高さＨａの脚付き家具や固定脚介護ベッド等重量物Ｗに対応していることを示しているので理解しやすい。【００２８】図３に示す高さ調整補助具１６は、上面１７を所定の高さＨｂに設け、前記上面１７の中央部に円柱の凸部１８を備え、四角形で各辺に垂直の壁２０、壁２１、壁２２、壁２３を設けている。【００２９】前記円柱の凸部１８の側面１９は図４に示すように、高さ調整具２の底面に形成された開口部の壁１２、壁１３、壁１４、壁１５と嵌合して一体化をする。【００３０】高さ調整補助具１６は、材質を合成樹脂のＡＢＳで成型加工しているので、強度を有しつつ軽いので取扱いが容易で、上面１７までの高さＨｂを円柱の凸部１８、前面２０、背面２１、左側面２２そして右側面２３に容易に消えない方法のシールや印刷、あるいは成型金型での刻印により表示している。高さ調整具２と高さ調整補助具１６を高さ調整キット１にすることで、高さ調整具２の底面に形成された開口部に高さ調整補助具１６の円柱の凸部１８を係合し、高さ調整具２の高さＨａより高い高さＨａ＋Ｈｂの重量物Ｗにも対応でき、高さ調整具２と高さ調整補助具１６の表示された高さの和を求めることで対応する高さを理解できる。【００３１】高さ調整補助具１６の底面は図５に示すように、正面２０、右側面２３、左側面２２、そして背面２１の内側に平面１７に掛かる荷重を支持し、その他の高さ調整補助具１６との係合を保持する壁２４、壁２５、壁２６、壁２７を設けている。【００３２】図６に高さ調整具２の使用例を示す。重量物Ｗの側面Ｗｅ及び底面Ｗｂに高さ調整具２の有する位置決め部の第１面５ａ及び第２面６ａが接触することで、重量物Ｗに対する高さ調整具の傾斜面７の位置決めを行い、重量物持ち上げ装置９０の作用部９３の回動軸９５を中心とした揺動の範囲を広げているので、前記作用部９３の挿入が簡単かつ確実に行える。【００３３】図７に高さ調整具２と１個の高さ調整補助具１６の使用例を示す。高さ調整具２の底面に形成された開口部の壁１２から壁１５は、高さ調整補助具１６の円柱の凸部１８の側面１９と圧入嵌合で一体化して、高さ調整具２の上面３が脚付き家具等の重量物Ｗの底面Ｗｂと同じ高さになり、重量物Ｗの側面Ｗｅ及び底面Ｗｂに高さ調整具２の有する位置決め部の第１面５ａ及び第２面６ａが接触することで、重量物Ｗに対する高さ調整具の傾斜面７の位置決めを行い、重量物持ち上げ装置９０の作用部９３の回動軸９５を中心とした揺動の範囲を広げているので、前記作用部９３の挿入が簡単かつ確実に行え、図６に示した重量物Ｗの底面Ｗｂを超えた高さに対応できる。【００３４】図８に高さ調整具２と２個の高さ調整補助具１６ｕ、１６ｓの使用例を示す。高さ調整具２の壁１２から壁１５は上段の高さ調整補助具１６ｕの円柱の凸部１８ｕの側面１９ｕと圧入嵌合で一体化しながら、上段の高さ調整補助具１６ｕの壁２４ｕから壁２７ｕは下段の高さ調整補助具１６ｓの円柱の凸部１８ｓの側面１９ｓと圧入嵌合でさらに一体化して、高さ調整具２の上面３が脚付き家具等の重量物Ｗの底面Ｗｂと同じ高さになり、重量物Ｗの側面Ｗｅ及び底面Ｗｂに高さ調整具２の有する位置決め部の第１面５ａ及び第２面６ａが接触することで、重量物Ｗに対する高さ調整具の傾斜面７の位置決めを行い、重量物持ち上げ装置９０の作用部９３の回動軸９５を中心とした揺動の範囲を広げているので、前記作用部９３の挿入が簡単かつ確実に行え、図７に示した重量物Ｗの底面Ｗｂを超えた高さに対応できる。【００３５】脚付き家具等の重量物Ｗの底面Ｗｂの高さが前記より高いときは、３個、４個と高さ調整補助具１６を追加して対応する高さ調整キット１である。【００３６】脚付き家具等の重量物Ｗの底面Ｗｂと床Ｆまでの高さと同じ高さに調整した高さ調整具１と高さ調整補助具１６を使用することで、重量物持ち上げ装置９０の作用部９３が底面Ｗｂに到達した状態を図９に示す。レバー９４を矢印Ａ方向へ押し下げると回動軸９５が支点となり作用部９３が上がり脚付き家具等の重量物Ｗは持ち上がり始める。【００３７】図１０にレバー９４を押し下げた状態を示す。脚付き家具等の重量物Ｗが持ち上がると、脚Ｗａと床Ｆの間に持ち上がった高さ分の隙間ができ、下部にローラ９６を備えた移動用台車９５を重量物Ｗの脚Ｗａの４箇所に挿入し、重量物Ｗを支持しながらローラ９６で移動できる。【００３８】図１１に本発明の第２実施形態例による重量物持ち上げ移動装置の高さ調整具の底面の斜視図を、図１２に本発明の第２実施形態例による重量物持ち上げ移動装置の高さ調整補助具の底面の斜視図をそれぞれ示す、第２実施形態と異なるところは高さ調整補助具１６の円柱の凸部１８の側面１９と圧入嵌合する係合構造を凹部２８と凹部２９で構成している点であり、その他第１実施形態と共通する構成部分については、図１、図３と同符号を付し、詳細説明を省略する。【００３９】本実施形態は、設置のときに床Ｆとの設置面積を大きくできるので、床Ｆがへこみ難い点で、第１実施形態に勝っている。【００４０】以上のように、これまではあきらめていた脚付き家具や固定脚介護ベッド等の重量物Ｗを力の弱い人ひとりでも簡単に、そして安全に持ち上げて移動することができるので、お部屋の模様替えや家具裏の掃除やベッドの向き変更ができ、介護を行う人等の負担軽減もできる。
【符号の説明】
【００４１】２    高さ調整具
１６  高さ調整補助具
【図１】
0005950123.tif 000002
【図２】
0005950123.tif 000003
【図３】
0005950123.tif 000004
【図４】
0005950123.tif 000005
【図５】
0005950123.tif 000006
【図６】
0005950123.tif 000007
【図７】
0005950123.tif 000008
【図８】
0005950123.tif 000009
【図９】
0005950123.tif 000010
【図１０】
0005950123.tif 000011
【図１１】
0005950123.tif 000012
【図１２】
0005950123.tif 000013
【図１３】
0005950123.tif 000014
【図１４】
0005950123.tif 000015